(57)【要約】【課題】  扉への取付けに際して手間のかからない平面ハンドル装置の提供。【解決手段】  装置本体と、扉間にその合わせ部裏側で渡すことが可能な止め金板と、この止め金板を回転操作させるための操作ハンドルと、装置本体を扉に固定するための装着手段とを備え、装置本体を扉に形成された開口の縁部に扉の表側から重ねるように取付けられ、装着手段はフック部と嵌合部とから構成されており、フック部は装置本体の背面に設けられて開口の縁部に扉の表側から挿入されて扉の裏面に係止するものであり、嵌合部はフック部に相対する位置に設けられて開口とは別に扉に形成された挿通孔に嵌着する構成の平面ハンドル装置。【選択図】  図３
2008291474.tif 000002
【特許請求の範囲】
【請求項１】
装置本体と、扉間にその合わせ部裏側で渡すことが可能な止め金板と、この止め金板を回転操作させるための操作ハンドルと、前記装置本体を扉に固定するための装着手段とを備え、装置本体を扉に形成された開口の縁部に扉の表側から重ねるように取付けられる平面ハンドル装置であって、
前記装着手段はフック部と嵌合部とから構成されており、前記フック部は装置本体の背面に設けられて前記開口の縁部に扉の表側から挿入されて扉の裏面に係止するものであり、前記嵌合部はフック部に相対する位置に設けられて前記開口とは別に扉に形成された挿通孔に嵌着するものであることを特徴とする平面ハンドル装置。
【請求項２】
フック部は、装置本体の背面から扉の裏面側に伸びる基端部と、該基端部の先端から扉の裏面に重なるように沿う重ね部とを有することを特徴とする請求項１記載の平面ハンドル装置。
【請求項３】
基端部は開口の縁部に係止可能に傾斜していることを特徴とする請求項２記載の平面ハンドル装置。
【請求項４】
嵌合部は挿通孔に弾性的に嵌着するものであることを特徴とする請求項１ないし請求項３の何れかに記載の平面ハンドル装置。
【発明の詳細な説明】
【技術分野】
【０００１】
本発明は、電気機器収納用ボックス等の扉に使用される平面ハンドル装置に関する。
【背景技術】
【０００２】
電気機器収納用ボックス等の扉に使用される平面ハンドル装置としては、例えば、特許文献１および特許文献２に示すように、従来から種々提案されている。一般に、平面ハンドル装置は、装置本体と、扉間に渡される止め金板と、この止め金板を回転させるための操作ハンドルとを有している。
また、装置本体には、これを扉に固定するための装着手段が設けられている。装着手段は、装置本体の背面に突設された上下二個の取付けボスと、取付けボスに外嵌する座金とから構成されている。
【特許文献１】特開平８−１５１８３１号公報
【特許文献２】特開２００１−１０７６０８号公報
【発明の開示】
【発明が解決しようとする課題】
【０００３】
上記構成の平面ハンドル装置を扉に装着するには、装置本体を扉に形成した開口に位置合わせし、各取付けボスを予め扉に形成してある挿通孔に挿通し、扉の裏側から取付けボスに座金を嵌合し、各取付けボスの螺子孔にビスを螺合するようにして、装置本体を扉に固定する。
【０００４】
このように、従来の平面ハンドル装置は扉への取付けに際して、複数の取付けボスに対してそれぞれ扉の裏側から座金を取り付け、しかもビスによって座金を取付けボスに固定しなければならず、このような作業は手間がかかる。そして、取付ける平面ハンドル装置の数が多ければ、それだけ多くの労力を必要とすることになる。
【０００５】
そこで本発明は、扉への取付けに際して手間のかからない平面ハンドル装置の提供を課題とする。
【課題を解決するための手段】
【０００６】
本発明は、装置本体と、扉間にその合わせ部裏側で渡すことが可能な止め金板と、この止め金板を回転操作させるための操作ハンドルと、前記装置本体を扉に固定するための装着手段とを備え、装置本体を扉に形成された開口の縁部に扉の表側から重ねるように取付けられる平面ハンドル装置であって、前記装着手段はフック部と嵌合部とから構成されており、前記フック部は装置本体の背面に設けられて前記開口の縁部に扉の表側から挿入されて扉の裏面に係止するものであり、前記嵌合部はフック部に相対する位置に設けられて前記開口とは別に扉に形成された挿通孔に嵌着するものであることを特徴としている。
【０００７】
上記構成において、平面ハンドル装置を扉に取付ける際には、装置本体を扉の開口に位置合わせして、フック部を扉の表側から裏側に向けて開口に挿通させるようにしてフック部を開口の縁部に係止し、続いて嵌合部を挿通孔に扉の表側から嵌合する。このようにすることにより、平面ハンドル装置はビス等の取付け手段を用いることなく連続した動作で容易に、且つ短時間で扉に取付けられる。
【０００８】
本発明の平面ハンドル装置では、フック部は、装置本体の背面から扉の裏面側に伸びる基端部と、該基端部の先端から扉の裏面に重なるように沿う重ね部とを有することを特徴としている。
【０００９】
上記構成において、フック部を扉の表側から裏側に向けて開口に挿通させると、重ね部が扉の裏側に重なり、重ね部によって装置本体が確実に扉に取付けられる。
【００１０】
本発明の平面ハンドル装置では、基端部は開口の縁部に係止可能に傾斜していることを特徴としている。
基端部を傾斜させることにより、基端部を開口の縁部に嵌合させることが可能になり、装置本体が強固に扉の開口の縁部に取付けられる。
【００１１】
本発明の平面ハンドル装置では、嵌合部は挿通孔に弾性的に嵌着するものであることを特徴としている。
上記構成において、嵌合部は弾性を用いて容易に挿通孔に挿通されるとともに、挿通した後は弾性復元により挿通孔から容易に抜けないから、装置本体の取付けが容易であるとともに、確実に扉の開口の縁部に取付けられる。
【発明の効果】
【００１２】
本発明の平面ハンドル装置によれば、装置本体を扉の開口に位置合わせして、フック部を扉の表側から裏側に向けて開口に挿通させるようにしてフック部を開口の縁部に係止し、嵌合部を挿通孔に扉の表側から嵌合するから、平面ハンドル装置はビス等の取付け手段を用いることなく連続した動作で容易に、且つ短時間で扉に取付けられ、特に、集合住宅のように多数の平面ハンドル装置を設置する必要がある環境下においてその取付け作業に要する時間、および労力を大幅に低減させることができる。
【発明を実施するための最良の形態】
【００１３】
以下、本発明の実施形態に係る平面ハンドル装置を、図面に基づいて説明する。図１は本発明の実施形態を示す平面ハンドル装置の前側上方からの単体斜視図、図２は本発明の実施形態を示す平面ハンドル装置の使用状態を示す裏側からの斜視図、図３は縦断面図である。
【００１４】
これらの図に示すように、平面ハンドル装置１は、電気機器収納用ボックス等の扉２，３に使用されて、扉２，３を開閉可能にするものである。平面ハンドル装置１は、装置本体４と、扉２，３間にその合わせ部５，６の裏側で渡すことが可能な止め金板７と、この止め金板７を回転操作させるための操作ハンドル８と、装置本体４を扉２，３に固定するための装着手段１０とを備えている。
【００１５】
装置本体４は直方体形状に形成されており、その前面側外周縁部に拡径されたフレーム状の鍔部１１が形成されている。この鍔部１１は扉２，３に形成された、装置本体４と相対形状の矩形の開口１２の縁部１３に、扉２，３の前面側から当接するものである。
【００１６】
装置本体４の裏面側には、前記止め金板７が装置本体４の裏面に沿う垂直平面内で、支軸部１４回りに所定範囲内で回動自在に取付けられている。この所定範囲は、止め金板７自身の板面に形成された案内穴１５の周方向長さと、回動制限ピン１６との位置関係によって決定されるものである。
【００１７】
止め金板７は、装置本体４に横軸１７回りに回動自在に支持された前記操作ハンドル８の係止・解除によって、扉閉姿勢と扉開姿勢とに切替え自在である。止め金板７を扉閉姿勢と扉開姿勢とに切替えのために、操作ハンドル８は装置本体４に弾性的にロック姿勢と解除姿勢とに切替え自在に支持されている。
【００１８】
止め金板７の扉閉姿勢とは、止め金板７が水平方向にあって、扉２，３に渡された姿勢であり、扉開姿勢とは、扉閉姿勢から支軸部１４回りに回動してその幅方向軸心がほぼ垂直な方向に沿う姿勢であり、装置本体４が取付けられる扉２の隣の扉３から回避した姿勢である。
【００１９】
操作ハンドル８は、不図示のバネによって横軸１７回りに解除姿勢に付勢されている。ここで、操作ハンドル８のロック姿勢とは、操作ハンドル８の、装置本体４の裏面から係止片１８が突出して案内穴１５の一側周壁に係止した姿勢である。この姿勢では操作ハンドル８の前面は、装置本体４の前面に面一となっている。
操作ハンドル８の解除姿勢とは、装置本体４の下部に設けた操作釦２０を押圧して、操作ハンドル８の姿勢保持片２１が装置本体４の保持部２２に係止した状態を解除することで横軸１７回りに回動させ得る姿勢であり、係止片１８が案内穴１５の一側周壁から外れ、前記バネの弾性により操作ハンドル８が横軸１７回りに回動して係止片１８が突出して案内穴１５の他側周壁を押圧して、止め金板７を扉開姿勢に付勢する姿勢である。
操作ハンドル８の解除姿勢では、操作ハンドル８は横軸１７回りに回動しているから、その下部は装置本体４の前面から突出している。
【００２０】
装着手段１０はフック部２３と嵌合部２４とから構成されている。フック部２３は、装置本体４の背面の上部に、装置本体４の幅方向中心に一体に形成されており、フック部２３の幅は装置本体４の幅に比べて小さく設定されている。
フック部２３は、開口１２の上縁部に扉２の表側から挿入されて扉２の裏面に係止するものである。フック部２３は、装置本体４の背面から扉２の裏面側に斜め上方に伸びる基端部２５と、基端部２５の上先端から扉２の裏面に重なるように沿う重ね部２６とを有する。
【００２１】
重ね部２６は、鍔部１１の裏側に、平行に対向するよう配置され、鍔部１１と重ね部２６との離間距離Ｌ１は、扉２の厚みよりわずかに大きく設定されている。重ね部２６の上端面２７の位置は、鍔部１１の上端面２８の位置に比べて低くなるよう設定されている。
【００２２】
扉２において、開口１２の下方に、該開口１２とは別に円形の挿通孔３０が形成されている。この挿通孔３０は、開口１２の幅方向中心に対応する位置に配置されている。すなわち挿通孔３０は、その中心がフック部２３の中心と合致するようフック部２３の垂直下方にある。
【００２３】
嵌合部２４は、鍔部１１の下部裏面に垂直方向に立設されている。嵌合部２４は、鍔部１１の裏面に一体的に形成される円柱状の凸起３１と、凸起３１に外嵌するよう装着された円筒状のボス部３２とから構成されている。凸起３１は異径断面に形成されており、その最大径部３３は断面円錐形に形成されている。
【００２４】
ボス部３２は異径断面を有しており、その最大径部３４は開口１２の径に比べて大きき設定されている。このボス部３２は合成樹脂等の弾性を有する材料から形成されて、縮径および拡径するよう弾性変形可能である。ボス部３２の最大径部３４には、その外側端面から扉２の厚みよりわずかに離れた位置に環状係止面３５が形成されており、この環状係止面３５から内側端面に向けて縮径する円錐面３６（傾斜面）が形成されている。
ボス部３２の外側端面部には、凸起３１の最大径部３３と扉２の裏面との間に挿入される環状の抜止め部３７が形成されている。
【００２５】
上記構成において、平面ハンドル装置１の扉２への取付け手順（取付け方法）、特に、装置本体４の装着手順を説明する。先ず装置本体４を開口１２に扉２の表側から位置合わせし、フック部２３の重ね部２６を開口１２に挿通するようにして重ね部２６と鍔部１１とで開口１２の縁部１３を挟み、装置本体４を持ち上げるようにする。そうすると、鍔部１１と重ね部２６との離間距離Ｌ１は、扉２の厚みよりわずかに大きく設定されているから、開口１２の縁部１３が重ね部２６と鍔部１１との間に深く入る。そして開口１２の縁部１３をフック部２３の基端部２５に到達させ、開口１２の縁部１３を、重ね部２６と鍔部１１との間に嵌合する。
【００２６】
次に、縁部１３、重ね部２６、鍔部１１の嵌合部分を中心にして装置本体４の下部を扉２側に押す。そうすると、嵌合部２４が挿通孔３０に対向するから、さらに装置本体４の下部を扉２側に押し、嵌合部２４を挿通孔３０に挿入するようにする。このとき、ボス部３２の最大径部３４は開口１２の径に比べて大きき設定されているが、ボス部３２は合成樹脂等の弾性を有する材料から形成されて、縮径するよう弾性変形可能であるから、作業者がボス部３２の弾性に抗してボス部３２を挿通孔３０に挿通すると、ボス部３２の最大径部３４が挿通孔３０の内周面に押圧されて縮径し、ボス部３２を挿通孔３０に挿通することが可能になる。
【００２７】
ボス部３２を挿通孔３０に挿通し終えると、ボス部３２は拡径可能であるから、挿通孔３０の内周面による押圧が解除されてボス部３２の最大径部３４が拡径し、環状係止面３５が扉２の裏面から係合し、環状係止面３５と鍔部１１との間に、扉２の開口１２の縁部１３が挟持させる。
【００２８】
そして、装置本体４はその上部でフック部２３によって前後不動に支持され、装置本体４はその下部で嵌合部２４によって前後不動に支持されて容易に取外すことができない状態で扉に装着される。
このように、装置本体４はフック部２３を扉２の開口１２の縁部１３に係止させ、続いて扉２の挿通孔３０に嵌合部２４を挿入するといった一連の動作で、容易に装着することができる。
【００２９】
また、嵌合部２４を、鍔部１１の裏面に一体的に形成される円柱状の凸起３１と、凸起３１に外嵌するよう装着された円筒状のボス部３２とから構成して、嵌合部２４は凸起３１にボス部３２の弾性を用いて嵌合させるだけなので、容易にしかも確実に取付けることができる。
【００３０】
上記実施形態では、フック部２３を装置本体４の上部に設け、嵌合部２４を装置本体４の下部に設け、扉２への取付けに際して装置本体４をその上部においてフック部２３で係止し、続いて嵌合部２４で係止するようにした。
しかしながら、本発明はこれに限定されるものではなく、フック部２３を装置本体４の一方の側部に設け、嵌合部２４を他方の側部に設け、挿通孔３０を開口１２の縁部１３の側部に形成して、装置本体４をその側部からフック部２３で扉２の開口１２の縁部１３に係止し、その後装置本体４を、嵌合部２４を挿通孔３０に挿通嵌合するようにして取付けることも可能である。この場合も上記実施形態と同様に、装置本体４の取付けが容易になる。
嵌合部２４は、凸起３１の軸方向途中部分に球状部を形成してボス部３２を嵌合する構成とすることもできる。
【００３１】
また、上記実施形態では、フック部２３は、装置本体４の背面から扉２の裏面側に斜め上方に伸びる基端部２５と、基端部２５の上先端から扉２の裏面に重なるように沿う重ね部２６とから構成したがこれに限定されるものではない。
例えば、重ね部２６は基端部２５に比べて緩やかな傾斜を有する傾斜板状に形成して、その上端部を上記実施形態で述べた鍔部１１と重ね部２６との離間距離Ｌ１に比べて大きな距離とすることもできる。
この場合では、鍔部１１と重ね部２６との離間距離Ｌ１に比べて大きな距離とするよう重ね部２６を傾斜させた分だけ、鍔部１１と重ね部２６との間に扉２の開口１２の縁部１３を挿入するのが容易となる。
【図面の簡単な説明】
【００３２】
【図１】本発明の実施形態を示す平面ハンドル装置の前側上方からの単体斜視図
【図２】同じく平面ハンドル装置の使用状態を示す裏側からの斜視図
【図３】同じく縦断面図
【符号の説明】
【００３３】
１…平面ハンドル装置、２，３      …扉、４…装置本体、７…止め金板、８…操作ハンドル、１０…装着手段、１１…鍔部、１２…開口、１３…縁部、２１…姿勢保持片、２２…保持部、２３…フック部、２４…嵌合部、２５…基端部、２６…重ね部、３０…挿通孔、３１…凸起、３２…ボス部、３５…環状係止面、３６…円錐面、３７…抜止め部
【図１】
2008291474.tif 000003
【図２】
2008291474.tif 000004
【図３】
2008291474.tif 000005